(57)【要約】  新しい光ディスクで不安定なアクセスを絶つことが可能な情報記録装置、情報記録方法、情報記録処理プログラム、情報再生装置、及び光ディスクを提供する。  本願は、データ領域と、該データ領域より内周側と外周側に位置する管理領域と、を有する光ディスクの前記管理領域に、前記光ディスクの構造を定義するディスク構造定義情報を記録する情報記録装置であって、非適応の情報再生装置及び情報記録再生装置では前記ディスク構造定義情報として解釈不能な不適合マークを含む新バーションのディスク構造定義情報を記憶するメモリと、前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行う記録制御手段と、を備える。
2011024265.tif 000002
【特許請求の範囲】
【請求項１】
データ領域と、該データ領域より内周側と外周側に位置する管理領域と、を有する光ディスクの前記管理領域に、前記光ディスクの構造を定義するディスク構造定義情報を記録する情報記録装置であって、
非適応の情報再生装置及び情報記録再生装置では前記ディスク構造定義情報として解釈不能な不適合マークを含む新バーションのディスク構造定義情報を記憶するメモリと、
前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行う記録制御手段と、
を備えることを特徴とする情報記録装置。
【請求項２】
請求項１に記載の情報記録装置において、
前記ディスク構造定義情報には、前記データ領域におけるデータの記録開始位置を示す位置情報及び前記光ディスクの欠陥に関する欠陥管理情報の記録位置を示す位置情報を少なくとも含み、
前記記録制御手段は、前記旧バージョンのディスク構造定義情報に含まれる前記位置情報が記録されるべき前記管理領域の位置に前記不適合マークが位置するように、前記新バーションのディスク構造定義情報を記録することを特徴とする情報記録装置。
【請求項３】
請求項２に記載の情報記録装置において、
前記不適合マークは、前記位置情報を記録するバイトポジションを無効にすることを特徴とする情報記録装置。
【請求項４】
請求項２に記載の情報記録装置において、
前記不適合マークは、前記位置情報を記録するバイトポジションを０で埋めることを特徴とする情報記録装置。
【請求項５】
データ領域と、該データ領域より内周側と外周側に位置し光ディスクの構造を定義するディスク構造定義情報を記録する管理領域と、を有する光ディスクであって、
前記管理領域には、非適応の情報再生装置及び情報記録再生装置では前記ディスク構造定義情報として解釈不能な不適合マークを含む新バーションのディスク構造定義情報が記録されており、
前記不適合マークを含まない旧バージョンのディスク構造定義情報の全部又は一部が記録されるべき前記管理領域の位置に前記不適合マークが記録されていることを特徴とする光ディスク。
【請求項６】
請求項５に記載の光ディスクに記録された情報を再生する情報再生装置であって、
前記光ディスクの前記管理領域から、前記不適合マークを含む新バーションのディスク構造定義情報を取得する取得手段と、
前記不適合マークを除く前記ディスク構造定義情報に基づいて前記情報の再生制御を行う再生制御手段と、
を備えることを特徴とする情報再生装置。
【請求項７】
請求項５に記載の光ディスクへ情報を記録する情報記録装置であって、
前記光ディスクの前記管理領域から、前記不適合マークを含む新バーションのディスク構造定義情報を取得する取得手段と、
前記不適合マークを除く前記ディスク構造定義情報に基づいて前記情報の記録制御を行う記録制御手段と、
を備えることを特徴とする情報記録装置。
【請求項８】
データ領域と、該データ領域より内周側と外周側に位置する管理領域と、を有する光ディスクの前記管理領域に、前記光ディスクの構造を定義するディスク構造定義情報を記録する情報記録方法であって、
非適応の情報再生装置及び情報記録再生装置では前記ディスク構造定義情報として解釈不能な不適合マークを含む新バーションのディスク構造定義情報を記憶するステップと、
前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行うステップと、
を備えることを特徴とする情報記録方法。
【請求項９】
データ領域と、該データ領域より内周側と外周側に位置する管理領域と、を有する光ディスクの前記管理領域に、前記光ディスクの構造を定義するディスク構造定義情報を記録するコンピュータを、
非適応の情報再生装置及び情報記録再生装置では前記ディスク構造定義情報として解釈不能な不適合マークを含む新バーションのディスク構造定義情報を記憶し、
前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行うように機能させることを特徴とする情報記録処理プログラム。
【発明の詳細な説明】
【技術分野】
【０００１】
本願は、データ領域と、該データ領域より内周側と外周側に位置する管理領域と、を有する光ディスクの前記ディスク管理領域に、前記光ディスクの構造を定義するディスク構造定義情報を記録する技術の分野に関する。
【背景技術】
【０００２】
従来から、大容量で交換可能な記録媒体として、ＤＶＤ（Digital Versatile Disc）やＢＤ（Blu-ray Disc）等の高密度光ディスクが知られている。この種の光ディスクの内周側と外周側に設けられた管理領域（一般に、欠陥管理領域（Defect Management Area）或いはディスク管理領域（Disc Management Area）と称される）には、光ディスクの構造を定義するディスク構造定義情報（ＤＤＳ（Disc Definition Structure））が記録されるようになっている（例えば、特許文献１参照）。【０００３】
このようなディスク構造定義情報（以下、「ＤＤＳ」という）は、機器（装置）が光ディスクへの情報の記録や光ディスクからの情報の再生を実行する上で欠かせない情報である。【０００４】
ところで、新しい光ディスクフォーマットの策定に当たってディスク上のデータの記録構成（ユーザデータの記録構成やアプリケーションデータフォーマット等）の一部変更される場合がある。しかし、内容が一部変更されたデータの記録構成に対応していない従来の再生機器では、不安定な再生となるという問題があった。例えば、従来の再生機器のファームウェアのバージョンによっては、一部変更されたデータの記録構成の光ディスクから情報を再生できたり、できなかったりすることがあった。また、光ディスクから情報を再生できたとしても、例えば、構造が一部変更された箇所にアクセスした時に再生停止に至ってしまうことがあった。さらに、内容が一部変更された光ディスクに対応していない従来の記録機器では、一部変更されたデータの記録構成が記録された光ディスクを誤った記録で壊してしまう可能性があった。【０００５】
上述したような不安定な再生や誤った記録といった不安定なアクセスは、光ディスクや機器のメーカ又は販売店への返品やクレーム等の要因になるため、防ぐことが求められる。【０００６】
このような不安定なアクセスを防ぐために、機器が、光ディスクに予め記録されたディスクＩＤ（光ディスクフォーマット毎に異なるディスクＩＤ）やディスク種別判別情報を取得、確認し、非対応の光ディスクである場合には、その旨の情報をユーザに提示して情報の再生や記録を行わないようにする方法がある。
【先行技術文献】
【特許文献】
【０００７】
【特許文献１】特開２００７−２００４１７号公報
【発明の概要】
【発明が解決しようとする課題】
【０００８】
しかしながら、光ディスクを使用したゲーム機器などの特殊再生機器では、立ち上げ時間を極力短縮するため、ディスクＩＤやディスク種別判別情報の取得及び確認を行わずに、光ディスクのデータ領域に記録されたユーザデータを読み取る処理を行うようになっている。そのため、新しい光ディスクフォーマットに対応するディスクＩＤやディスク種別判別情報を機器に確認させる方法では、新しい光ディスクで、上述したような不安定なアクセスを防ぎきれないという問題がある。【０００９】
そこで、本願は、このような問題の解消を課題の一つとし、新しい光ディスクで不安定なアクセスを絶つことが可能な情報記録装置、情報記録方法、情報記録処理プログラム、情報再生装置、及び光ディスクを提供することを目的とする。
【課題を解決するための手段】
【００１０】
上記課題を解決するため、請求項１に記載の発明は、データ領域と、該データ領域より内周側と外周側に位置する管理領域と、を有する光ディスクの前記管理領域に、前記光ディスクの構造を定義するディスク構造定義情報を記録する情報記録装置であって、非適応の情報再生装置及び情報記録再生装置では前記ディスク構造定義情報として解釈不能な不適合マークを含む新バーションのディスク構造定義情報を記憶するメモリと、前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行う記録制御手段と、を備えることを特徴とする。【００１１】
請求項５に記載の発明は、データ領域と、該データ領域より内周側と外周側に位置し光ディスクの構造を定義するディスク構造定義情報を記録する管理領域と、を有する光ディスクであって、前記管理領域には、非適応の情報再生装置及び情報記録再生装置では前記ディスク構造定義情報として解釈不能な不適合マークを含む新バーションのディスク構造定義情報が記録されており、前記不適合マークを含まない旧バージョンのディスク構造定義情報の全部又は一部が記録されるべき前記管理領域の位置に前記不適合マークが記録されていることを特徴とする。【００１２】
請求項８に記載の発明は、データ領域と、該データ領域より内周側と外周側に位置する管理領域と、を有する光ディスクの前記管理領域に、前記光ディスクの構造を定義するディスク構造定義情報を記録する情報記録方法であって、非適応の情報再生装置及び情報記録再生装置では前記ディスク構造定義情報として解釈不能な不適合マークを含む新バーションのディスク構造定義情報を記憶するステップと、前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行うステップと、を備えることを特徴とする。【００１３】
請求項９に記載の情報記録処理プログラムの発明は、データ領域と、該データ領域より内周側と外周側に位置する管理領域と、を有する光ディスクの前記管理領域に、前記光ディスクの構造を定義するディスク構造定義情報を記録するコンピュータを、非適応の情報再生装置及び情報記録再生装置では前記ディスク構造定義情報として解釈不能な不適合マークを含む新バーションのディスク構造定義情報を記憶し、前記新バーションのディスク構造定義情報が前記管理領域に記録される場合に、前記不適合マークを含まない旧バージョンのディスク構造定義情報の全部又は一部が記録されるべき前記管理領域の位置に前記不適合マークが位置するように、前記新バーションのディスク構造定義情報の記録制御を行うように機能させることを特徴とする。
【図面の簡単な説明】
【００１４】
【図１】（Ａ）は、シングルレイヤ（Single Layer）の光ディスクの構造を示す図であり、（Ｂ）は、デュアルレイヤ（Dual Layer）の光ディスクの構造を示す図である。
【図２】旧バージョンのＤＤＳの構成例を示す図である。
【図３】新バージョンのＤＤＳの構成例を示す図である。
【図４】情報記録再生装置の概要構成例を示す図である。
【図５】新バージョンのＤＤＳに適応する情報記録再生装置におけるシステム制御部１０６の処理を示すフローチャートである。
【図６】新バージョンのＤＤＳに非適応の情報再生装置におけるシステム制御部１０６の処理を示すフローチャートである。
【発明を実施するための形態】
【００１５】
以下、本願の実施形態を添付図面に基づいて説明する。なお、以下に説明する実施の形態は、本願を、円盤状の光ディスクへの情報の記録及び該光ディスクからの情報の再生を行う情報記録再生装置に対して適用した場合の実施形態である。
（１．光ディスクの構造）
先ず、図１を参照して、本発明の一実施形態に係る光ディスクの構造について説明する。なお、本実施形態における光ディスクの一例として、書き換え可能なブルーレイディスク（ＢＤ−ＲＥ）を適用する。
【００１６】
図１（Ａ）は、シングルレイヤ（Single Layer）の光ディスクの構造を示す図であり、図１（Ｂ）は、デュアルレイヤ（Dual Layer）の光ディスクの構造を示す図である。
【００１７】
図１（Ａ）に示すシングルレイヤの光ディスクは、光ディスクの内周から外周方向にかけてリードインゾーン（Lead-in Zone）１、データ領域としてのデータゾーン（Data zone）２、及びリードアウトゾーン（Lead-out Zone）３を有する。
【００１８】
データゾーン２は、ＩＳＡ（Inner Spare Area）２１と、ユーザデータエリア（User Data Area）２２と、ＯＳＡ（Outer Spare Area）２３とに区分される。
【００１９】
ユーザデータエリア２２は、オーディオデータ、ビデオデータ、テキストデータ、コンピュータデータなど、ユーザによって任意の情報（ユーザデータ）が記録可能な領域である。
【００２０】
ＩＳＡ２１及びＯＳＡ２３は、ユーザデータエリア２２内のあるブロックの代わりにデータを記録する交替領域であり、例えばユーザデータエリア２２において欠陥ブロックが検出された場合は、そのブロックの交替領域として使用される。
【００２１】
リードインゾーン１は、データゾーン２より内周側に位置しており、リードアウトゾーン３は、データゾーン２より外周側に位置している。リードインゾーン１には、管理領域としてのＤＭＡ（Disc Management Area）１１及びＤＭＡ１２が設けられている。また、リードアウトゾーン３にも、ＤＭＡ３１及びＤＭＡ３２が設けられている。そして、各ＤＭＡ１１，１２，３１，３２には、光ディスクの構造を定義するＤＤＳ、及び光ディスクの欠陥に関する欠陥管理情報としてのＤＬ（Defect List）が記録されるようになっている。つまり、図１（Ａ）に示すシングルレイヤの光ディスクには、同じ内容の４つのＤＤＳと４つのＤＬが記録されることになる。なお、ＤＬは、欠陥ブロックの位置とその交替領域の位置などの情報を含む。
【００２２】
一方、図１（Ｂ）に示すデュアルレイヤの光ディスクは、レイヤＬ０とレイヤＬ１の２つの記録層を有する。レイヤＬ０は、光ディスクの内周から外周方向にかけてリードインゾーン（インナーゾーン（Inner Zone）とも呼ばれる）４、データゾーン５、及びアウターゾーン（Outer Zone）６を有する。レイヤＬ１は、光ディスクの外周から内周方向にかけてアウターゾーン７、データゾーン８、及びリードアウトゾーン（インナーゾーンとも呼ばれる）９を有する。なお、データゾーン５及びデータゾーン８の構成は、データゾーン２と同様である。
【００２３】
レイヤＬ０において、リードインゾーン４は、データゾーン５より内周側に位置しており、アウターゾーン６は、データゾーン５より外周側に位置している。リードインゾーン４には、ＤＭＡ４１及びＤＭＡ４２が設けられている。また、アウターゾーン６にも、ＤＭＡ６１及びＤＭＡ６２が設けられている。
【００２４】
また、レイヤＬ１において、リードアウトゾーン９は、データゾーン８より内周側に位置しており、アウターゾーン７は、データゾーン８より外周側に位置している。リードアウトゾーン９には、ＤＭＡ９１及びＤＭＡ９２が設けられている。また、アウターゾーン７にも、ＤＭＡ７１及びＤＭＡ７２が設けられている。そして、各ＤＭＡ４１，４２，６１，６２，７１，７２，９１，９２には、ＤＤＳ及びＤＬが記録されるようになっている。つまり、図１（Ｂ）に示すデュアルレイヤの光ディスクには、同じ内容の８つのＤＤＳと８つのＤＬが記録されることになる。
【００２５】
なお、光ディスクの記録層上には、位置情報（物理アドレス）としてのＰＳＮ（Physical Sector Number：物理セクタ番号）がセクタ単位に割り振られている。シングルレイヤの光ディスクでは、ＰＳＮが該ディスク内周側から外周側に向かって昇順に割り振られる。一方、デュアルレイヤの光ディスクでは、レイヤＬ０においてＰＳＮが該ディスク内周側から外周側に向かって昇順に、レイヤＬ１においてＰＳＮが該ディスク外周側から内周側に向かって昇順に割り振られる。
（２．ＤＤＳの構成）
次に、図２及び図３を参照して、本実施形態に係る新バージョンのＤＤＳの構成について、従来の旧バージョンのＤＤＳの構成と比較しつつ説明する。
【００２６】
図２は、旧バージョンのＤＤＳの構成例を示す図であり、図３は、新バージョンのＤＤＳの構成例を示す図である。なお、図２に示すバイトポジション“１６”（「Information #1」）は、記録装置の名前と記録特性調整値（Write Strategyの調整値等）を記録する場所である。
【００２７】
図２に示す旧バージョンのＤＤＳにおいて、特に、欠陥管理情報としてのＤＬの記録位置を示すＰＳＮ（バイトポジション“２４”）と、ユーザデータエリア（ユーザデータエリアにおけるデータ）の記録開始位置を示すＰＳＮ（バイトポジション“３２”）は、情報再生装置が光ディスクから情報を再生するために不可欠な情報である。
【００２８】
そして、図３に示す新バージョンのＤＤＳでは、図２に示す旧バージョンのＤＤＳにおいてバイトポジション“０”から“９５”まで不適合マーク（例えば、全て“０”のデータ）が定義されている。この不適合マークは、新バージョンのＤＤＳに非適応の情報再生装置（例えば、ゲーム機器などの特殊再生機器）及び情報記録再生装置ではＤＤＳとして解釈不能な情報である。従って、このような新バージョンのＤＤＳが光ディスクのＤＭＡに記録された場合、新バージョンのＤＤＳに非適応の情報再生装置及び情報記録再生装置では、当該光ディスクを不適合ディスク（例えば未フォーマット・未使用ディスク）として認識してしまうことになる。特に、旧バージョンのＤＤＳにおいてＤＬの記録位置を示すＰＳＮ及びユーザデータエリアの記録開始位置を示すＰＳＮがあるべき（記載されるべき）バイトポジションが、新バージョンのＤＤＳでは不適合マークで定義される（例えば、旧バージョンのＤＤＳにおける該ＰＳＮを記録するバイトポジションが０で埋められる）ので、非適応の情報再生装置及び情報記録再生装置では、光ディスクのデータゾーンからデータを読みに行くこと及び当該データゾーンへデータを書きに行くことができない。
（３．新バージョンのＤＤＳに適応する情報記録再生装置の構成及び動作）
次に、図４を参照して、新バージョンのＤＤＳに適応する情報記録再生装置の構成について説明する。
【００２９】
図４は、情報記録再生装置の概要構成例を示す図である。
【００３０】
図４に示すように、情報記録再生装置は、スピンドルモータ１０１、ピックアップ１０２、サーボ回路１０３、信号処理部１０４、信号入出力部１０５、及びシステム制御部１０６（コンピュータの一例）等を備えて構成されている。
【００３１】
スピンドルモータ１０１は、情報記録再生装置にセットされた光ディスクを所定の回転速度で回転させる。ピックアップ１０２は、光ディスクにレーザ光を照射し、該光ディスクへの情報の書き込みや該光ディスクからの情報の読み出しを行う。サーボ回路１０３は、スピンドルモータ１０１の駆動制御及びピックアップ１０２のトラッキング制御及びフォーカス制御を行う。信号処理部１０４は、ピックアップ１０２に供給する情報（記録用データ）の変調等の記録処理及びピックアップ１０２により読み出された情報（ＲＦ信号）に対して復調、デコード、及び誤り訂正等の再生処理などを行う。信号入出力部１０５は、信号処理部１０４に供給する記録用データの入力（例えば外部機器から入力）処理や信号処理部１０４を通じて再生された信号の出力（例えばスピーカ及びディスプレイに出力）処理を行う。
【００３２】
システム制御部１０６は、ＣＰＵ（Central Processing Unit）１０６ａ，ＲＡＭ（Random Access Memory）１０６ｂ，及びフラッシュメモリ１０６ｃ等を備え、サーボ回路１０３、信号処理部１０４、及び信号入出力部１０５を制御する。フラッシュメモリ１０６ｃには、ＣＰＵ１０６ａにより実行される上記制御に必要なプログラム（新バージョンのＤＤＳに適応するファームウェア（本願の情報記録処理プログラム等）を含む）及びデータ（新バージョンのＤＤＳ及びＤＬ等の情報を含む）が記憶されている。また、フラッシュメモリ１０６ｃには、ディスクＩＤとＤＤＳのバージョンとの対応関係を示す対応関係テーブルが記憶されている。
【００３３】
そして、記録制御手段としてのシステム制御部１０６は、新バーションのＤＤＳが光ディスクの内周側及び外周側に設けられたＤＭＡに記録される場合（例えば、光ディスクのフォーマット時）に、上記不適合マークを含まない旧バージョンのＤＤＳの全部又は一部が記録されるべき該ＤＭＡの位置に不適合マークが位置するように、新バーションのＤＤＳの記録制御を行うようになっている。ここで、ＤＤＳの全部とは、例えば、図２に示す例において、バイトポジション“０”から“８８”までの情報をいう。また、ＤＤＳの一部とは、例えば、図２に示す例において、光ディスクから情報を再生するために不可欠な、ＤＬの記録位置を示すＰＳＮ及びユーザデータエリアの記録開始位置を示すＰＳＮをいう。
【００３４】
こうして新バーションのＤＤＳが記録された光ディスクから情報を再生する場合、取得手段としてのシステム制御部１０６は、サーボ回路１０３及びピックアップ１０２を制御して、光ディスクのＤＭＡにアクセス（シーク動作）し、新バーションのＤＤＳを取得する（読み出す）。そして、再生制御手段としてのシステム制御部１０６は、当該取得した、不適合マークを除くＤＤＳに基づいて光ディスクに記録されている情報の再生制御を行う。例えば、当該システム制御部１０６は、読み込んだ新バーションのＤＤＳに含まれる不適合マークを解釈せずに、これに続く有用な情報（図３に示す例では、バイトポジション“９６”〜）を解釈して、光ディスクのデータゾーンに記録されたデータの再生制御を行う。なお、このような再生制御は、再生専用の情報再生装置においても同様に適用可能である。
【００３５】
また、新バーションのＤＤＳが記録された光ディスクへ情報を記録する場合、取得手段としてのシステム制御部１０６は、サーボ回路１０３及びピックアップ１０２を制御して、光ディスクのＤＭＡにアクセス（シーク動作）し、新バーションのＤＤＳを取得する。そして、記録制御手段としてのシステム制御部１０６は、不適合マークを除くＤＤＳに基づいて光ディスクへの情報の記録制御を行う。例えば、当該システム制御部１０６は、読み込んだ新バーションのＤＤＳに含まれる不適合マークを解釈せずに、これに続く有用な情報（図３に示す例では、バイトポジション“９６”〜）を解釈して、光ディスクのデータゾーンへのデータの記録制御を行う。
【００３６】
次に、図５を参照して、新バージョンのＤＤＳに適応する情報記録再生装置の動作について説明する。
【００３７】
図５は、新バージョンのＤＤＳに適応する情報記録再生装置におけるシステム制御部１０６の処理を示すフローチャートである。
【００３８】
当該情報記録再生装置に光ディスクがセットされ、ディスク認識処理が開始されると、システム制御部１０６は、サーボ回路１０３及びピックアップ１０２を制御して、光ディスクに記録されたディスクＩＤ（又はディスク種別判別情報）を取得する（ステップＳ１）。
【００３９】
次いで、システム制御部１０６は、上記取得したディスクＩＤ（又はディスク種別判別情報）に基づいて、光ディスクが対応ディスクであるか否かを判別する（ステップＳ２）。そして、対応ディスクでない（例えば、規格外の光ディスクである）場合には（ステップＳ２：ＮＯ）、システム制御部１０６は、その旨のメッセージをディスプレイに出力して、当該処理を終了する。一方、対応ディスクである場合には（ステップＳ２：ＹＥＳ）、ステップＳ３に進む。
【００４０】
ステップＳ３では、システム制御部１０６は、上記取得したディスクＩＤと、フラッシュメモリ１０６ｃに記憶された対応関係テーブルとに基づいて、当該光ディスクに記録されたＤＤＳのバージョンが新バージョンであるか旧バージョンであるかを判別する。そして、新バージョンである場合には（ステップＳ３：新バージョン）、当該光ディスクから新バーションのＤＤＳを取得して、上述したように、これを解釈する（ステップＳ４）。一方、旧バージョンである場合には（ステップＳ３：旧バージョン）、当該光ディスクから旧バーションのＤＤＳを取得してこれを解釈する（ステップＳ５）。
【００４１】
こうして、システム制御部１０６は、ＤＤＳを解釈し光ディスクの構造を認識すると、コンテンツメニューの読み込み及び表示を行う（ステップＳ６）。このコンテンツメニューが表示されると、ユーザからの操作指示にしたがって、情報の再生処理又は記録処理に移行される。
（４．新バージョンのＤＤＳに非適応の情報再生装置の動作）
次に、図６を参照して、新バージョンのＤＤＳに非適応の情報再生装置（例えば、ゲーム機器などの特殊再生機器）の動作について説明する。
【００４２】
図６は、新バージョンのＤＤＳに非適応の情報再生装置におけるシステム制御部１０６の処理を示すフローチャートである。なお、当該処理は、新バージョンのＤＤＳに非適応の情報記録再生装置でも同様である。
【００４３】
当該情報再生装置では、ディスク認識処理の開始後、図６に示すように、図５に示すステップＳ１及びステップＳ２に相当する処理を行わずに、ステップＳ１１に直行してコンテンツメニューの表示処理を開始し、当該光ディスクからＤＤＳを取得する（ステップＳ１２）。当該取得されたＤＤＳが旧バージョンであれば、新バージョンのＤＤＳに非適応の情報再生装置は、当該ＤＤＳを解釈できるので、当該光ディスクが不適合ディスクでないと判断し（ステップＳ１３：ＮＯ）、コンテンツメニューの読み込み及び表示を行う（ステップＳ１４）。ところが、当該取得されたＤＤＳが新バージョンの場合、上述したように、新バージョンのＤＤＳに非適応の情報再生装置は、当該ＤＤＳを解釈できないので、当該光ディスクが不適合ディスク（例えば未使用ディスク）であると判断し（ステップＳ１３：ＹＥＳ）、その旨のメッセージをディスプレイに出力（不適合表示）して当該処理を終了（停止）する（ステップＳ１５）。
【００４４】
以上説明したように、上記実施形態によれば、旧バージョンのＤＤＳが記録されるべき光ディスクのＤＭＡの位置に不適合マークが位置するように新バーションのＤＤＳを記録するように構成したので、新バージョンのＤＤＳに非適応の情報再生装置（例えば、ゲーム機器などの特殊再生機器）又は情報記録再生装置が、ディスクＩＤやディスク種別判別情報の取得及び確認を行わずに、光ディスクのデータ領域に記録されたユーザデータを読み取る処理を行う場合であっても、新バーションのＤＤＳが記録された光ディスクを不整合ディスクとして認識させることができ、したがって、当該光ディスクで不安定なアクセスを絶つことができる。一方で、新バージョンのＤＤＳに適応する情報再生装置又は情報記録再生装置の場合は、新バーションのＤＤＳが記録された光ディスクへの情報の記録又は再生を確実に実行させることができる。
【００４５】
なお、上述したように、不整合マークは、全て“０”のデータとすることが望ましいが、新バージョンのＤＤＳに非適応の情報再生装置が該ＤＤＳを解釈できないのであれば、例えば、全て“１”のデータとしても構わない。
【００４６】
また、上記実施形態において、図３に示す新バージョンのＤＤＳでは、図２に示す旧バージョンのＤＤＳにおいてバイトポジション“０”から“９５”まで不適合マークを定義したが、少なくとも、ＤＬの記録位置を示すＰＳＮ及びユーザデータエリアの記録開始位置を示すＰＳＮがあるべきバイトポジションのみ不整合マークを定義して無効とするように構成しても良い。また、当該バイトポジションを無効にする方法として、例えば、旧バージョンのＤＤＳを例えば所定バイト（例えば、１バイト）ずらして、当該ＤＤＳの先頭に不整合マークを挿入するようにしても良い。
【符号の説明】
【００４７】
１０１  スピンドルモータ
１０２  ピックアップ
１０３  サーボ回路
１０４  信号処理部
１０５  信号入出力部
１０６  システム制御部
【図１】
2011024265.tif 000003
【図２】
2011024265.tif 000004
【図３】
2011024265.tif 000005
【図４】
2011024265.tif 000006
【図５】
2011024265.tif 000007
【図６】
2011024265.tif 000008
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
データ領域と、該データ領域より内周側と外周側に位置する管理領域と、を有する光ディスクの前記管理領域に、前記光ディスクの構造を定義するディスク構造定義情報を記録する情報記録装置であって、
非適応の情報再生装置及び情報記録再生装置では前記ディスク構造定義情報として解釈不能な不適合マークを含む新バーションのディスク構造定義情報を記憶するメモリと、
前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが位置するように、前記新バーションのディスク構造定義情報の記録制御を行う記録制御手段と、
を備えることを特徴とする情報記録装置。
【請求項２】
請求項１に記載の情報記録装置において、
前記不適合マークは、前記位置情報を記録するバイトポジションを０で埋めることを特徴とする情報記録装置。
【請求項３】
請求項１に記載の情報記録装置において、
前記不適合マークは、前記位置情報を記録するバイトポジションを０で埋めることを特徴とする情報記録装置。
【請求項４】
データ領域と、該データ領域より内周側と外周側に位置し光ディスクの構造を定義するディスク構造定義情報を記録する管理領域と、を有する光ディスクであって、
前記管理領域には、非適応の情報再生装置及び情報記録再生装置では前記ディスク構造定義情報として解釈不能な不適合マークを含む新バーションのディスク構造定義情報が記録されており、
前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録され、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが記録されていることを特徴とする光ディスク。
【請求項５】
請求項４に記載の光ディスクに記録された情報を再生する情報再生装置であって、
前記光ディスクの前記管理領域から、前記不適合マークを含む新バーションのディスク構造定義情報を取得する取得手段と、
前記不適合マークを除く前記ディスク構造定義情報に基づいて前記情報の再生制御を行う再生制御手段と、
を備えることを特徴とする情報再生装置。
【請求項６】
請求項４に記載の光ディスクへ情報を記録する情報記録装置であって、
前記光ディスクの前記管理領域から、前記不適合マークを含む新バーションのディスク構造定義情報を取得する取得手段と、
前記不適合マークを除く前記ディスク構造定義情報に基づいて前記情報の記録制御を行う記録制御手段と、
を備えることを特徴とする情報記録装置。
【請求項７】
データ領域と、該データ領域より内周側と外周側に位置する管理領域と、を有する光ディスクの前記管理領域に、前記光ディスクの構造を定義するディスク構造定義情報を記録する情報記録方法であって、
非適応の情報再生装置及び情報記録再生装置では前記ディスク構造定義情報として解釈不能な不適合マークを含む新バーションのディスク構造定義情報を記憶するステップと、
前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが位置するように、前記新バーションのディスク構造定義情報の記録制御を行うステップと、
を備えることを特徴とする情報記録方法。
【請求項８】
データ領域と、該データ領域より内周側と外周側に位置する管理領域と、を有する光ディスクの前記管理領域に、前記光ディスクの構造を定義するディスク構造定義情報を記録するコンピュータを、
非適応の情報再生装置及び情報記録再生装置では前記ディスク構造定義情報として解釈不能な不適合マークを含む新バーションのディスク構造定義情報を記憶し、
前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが位置するように、前記新バーションのディスク構造定義情報の記録制御を行うように機能させることを特徴とする情報記録処理プログラム。
【手続補正２】
【補正対象書類名】明細書
【補正対象項目名】０００３
【補正方法】変更
【補正の内容】
【０００３】
課題を解決するための手段
［００１０］
上記課題を解決するため、請求項１に記載の発明は、データ領域と、該データ領域より内周側と外周側に位置する管理領域と、を有する光ディスクの前記管理領域に、前記光ディスクの構造を定義するディスク構造定義情報を記録する情報記録装置であって、非適応の情報再生装置及び情報記録再生装置では前記ディスク構造定義情報として解釈不能な不適合マークを含む新バーションのディスク構造定義情報を記憶するメモリと、前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが位置するように、前記新バーションのディスク構造定義情報の記録制御を行う記録制御手段と、を備えることを特徴とする。
［００１１］
請求項４に記載の発明は、データ領域と、該データ領域より内周側と外周側に位置し光ディスクの構造を定義するディスク構造定義情報を記録する管理領域と、を有する光ディスクであって、前記管理領域には、非適応の情報再生装置及び情報記録再生装置では前記ディスク構造定義情報として解釈不能な不適合マークを含む新バーションのディスク構造定義情報が記録されており、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録され、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが記録されていることを特徴とする。
［００１２］
請求項７に記載の発明は、データ領域と、該データ領域より内周側と外周側に位置する管理領域と、を有する光ディスクの前記管理領域に、前記光ディスクの構造を定義するディスク構造定義情報を記録する情報記録方法であって、非適応の情報再生装置及び情報記録再生装置では前記ディスク構造定義情報として解釈不能な不適合マークを含む新バーションのディスク構造定義情報を記憶するステップと、前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の
【手続補正３】
【補正対象書類名】明細書
【補正対象項目名】０００４
【補正方法】変更
【補正の内容】
【０００４】
位置に前記不適合マークが位置するように、前記新バーションのディスク構造定義情報の記録制御を行うステップと、を備えることを特徴とする。
［００１３］
請求項８に記載の情報記録処理プログラムの発明は、データ領域と、該データ領域より内周側と外周側に位置する管理領域と、を有する光ディスクの前記管理領域に、前記光ディスクの構造を定義するディスク構造定義情報を記録するコンピュータを、非適応の情報再生装置及び情報記録再生装置では前記ディスク構造定義情報として解釈不能な不適合マークを含む新バーションのディスク構造定義情報を記憶し、前記新バーションのディスク構造定義情報が前記管理領域に記録される場合に、前記不適合マークを含まない旧バージョンのディスク構造定義情報が記録されるべき前記管理領域を含む領域に、前記不適合マーク及び前記旧バージョンのディスク構造定義情報と共通する情報を含めて前記新バーションのディスク構造定義情報として記録し、前記旧バージョンのディスク構造定義情報に含まれる少なくとも前記データ領域におけるデータの記録開始位置を示す位置情報及び前記光ディスクの欠陥に関する欠陥管理情報の記録位置を示す位置情報が記録されるべき前記管理領域の位置に前記不適合マークが位置するように、前記新バーションのディスク構造定義情報の記録制御を行うように機能させることを特徴とする。
図面の簡単な説明
［００１４］
［図１］（Ａ）は、シングルレイヤ（Ｓｉｎｇｌｅ  Ｌａｙｅｒ）の光ディスクの構造を示す図であり、（Ｂ）は、デュアルレイヤ（Ｄｕａｌ  Ｌａｙｅｒ）の光ディスクの構造を示す図である。
［図２］旧バージョンのＤＤＳの構成例を示す図である。
［図３］新バージョンのＤＤＳの構成例を示す図である。
［図４］情報記録再生装置の概要構成例を示す図である。
［図５］新バージョンのＤＤＳに適応する情報記録再生装置におけるシステム制御部１０６の処理を示すフローチャートである。
［図６］新バージョンのＤＤＳに非適応の情報再生装置におけるシステム制御部１０６の処理を示すフローチャートである。
発明を実施するための形態
［００１５］
以下、本願の実施形態を添付図面に基づいて説明する。なお、以下に説明する実施の形態は、本願を、円盤状の光ディスクへの情報の記録及び該光ディスクからの情報の再生を行う情報記録再生装置に対して適用した場合の実施形態である。
【国際調査報告】
2011024265.tif 000009
2011024265.tif 000010
2011024265.tif 000011
2011024265.tif 000012